(57)【要約】【課題】より容易に表示画像の拡大または縮小をする。【解決手段】電子機器１は表示部３０と押圧検出部６０と制御部１０とを有する。表示部３０は画像を表示する。押圧検出部６０は押圧を検出する。制御部１０は押圧検出部６０が検出する押圧に基づいて、画像の拡大または縮小の制御を行う。【選択図】図１
2013206180.tif 000002
【特許請求の範囲】
【請求項１】
画像を表示する表示部と、
押圧を検出する押圧検出部と、
前記押圧検出部が検出する押圧に基づいて、画像の拡大または縮小の制御を行う制御部とを備える
ことを特徴とする電子機器。
【請求項２】
請求項１に記載の電子機器であって、
接触を検出する接触検出部をさらに備え、
前記制御部は、前記接触検出部が検出する接触の回数に応じた倍率で画像の拡大または縮小の制御を行う
ことを特徴とする電子機器。
【請求項３】
請求項１に記載の電子機器であって、
接触を検出する接触検出部をさらに備え、
前記制御部は、前記接触検出部に対する接触の移動量を検出し、前記移動量に応じた倍率で画像の拡大または縮小の制御を行う
ことを特徴とする電子機器。
【請求項４】
請求項１に記載の電子機器であって、
接触を検出する接触検出部をさらに備え、
前記制御部は、前記接触検出部に対する接触の移動方向を検出し、前記移動方向に応じて拡大および縮小の制御のいずれかを選択する
ことを特徴とする電子機器。
【請求項５】
画像を表示する表示ステップと、
押圧を検出する押圧検出ステップと、
前記押圧検出ステップにおいて検出する押圧に基づいて、画像の拡大または縮小の制御を行う倍率変更ステップとを備える
ことを特徴とする表示方法。
【発明の詳細な説明】
【技術分野】
【０００１】
本発明は、電子機器および表示方法に関するものである。より詳細には、タッチセンサなどの接触検出部に対する操作入力に基づいて、アプリケーションソフトウェアを実行させるなど所定の処理を行う電子機器および表示方法に関するものである。
【背景技術】
【０００２】
近年、携帯電話等の携帯端末において、操作者による操作を検出する部材として、タッチパネルやタッチスイッチ等のタッチセンサを備える電子機器が増えている。また、携帯端末以外に、電卓、券売機等の機器や、電子レンジ、テレビ、照明器具等の家電製品、産業用機器（ＦＡ機器）等、タッチセンサを備える電子機器は広く使用されている。
【０００３】
このようなタッチセンサを用いて、表示した写真などの画像の拡大および縮小を直感的に操作することが提案されている（特許文献１参照）。特許文献１においては、画像が表示されている状態で複数の箇所の接触、すなわちマルチタップを検出し、複数の接触点を離すことにより画像を拡大し、近づけることにより画像を縮小することが提案されている。
【先行技術文献】
【特許文献】
【０００４】
【特許文献１】特開２００８−０７０９６８号公報
【発明の概要】
【発明が解決しようとする課題】
【０００５】
しかし、このような拡大または縮小処理を行うためには、マルチタップを行う必要がある。
【０００６】
したがって、かかる事情に鑑みてなされた本発明の目的は、ユーザにとってより容易に表示画像の拡大または縮小が可能な電子機器および表示方法を提供することにある。
【課題を解決するための手段】
【０００７】
上述した諸課題を解決すべく、本発明による電子機器は、
画像を表示する表示部と、
押圧を検出する押圧検出部と、
押圧検出部が検出する押圧に応じた倍率で、画像の拡大または縮小の制御を行う制御部とを備える
ことを特徴とするものである。
【０００８】
なお、
接触を検出する接触検出部を更に備え、
制御部は、接触検出部が検出する接触の回数に応じた倍率で画像の拡大または縮小の制御を行う
ことが好ましい。
【０００９】
また、
接触を検出する接触検出部を更に備え、
制御部は、接触検出部に対する接触の移動量を検出し、移動量に応じた倍率で表示部に表示する画像の拡大または縮小の制御を行う
ことが好ましい。
【００１０】
また、
接触を検出する接触検出部を更に備え、
制御部は、接触検出部に対する接触の移動方向を検出し、移動方向に応じて拡大および縮小の制御のいずれかを選択する
ことが好ましい。
【００１１】
また、本発明を方法として実現させた入力受け付け方法は、
画像を表示する表示ステップと、
押圧を検出する押圧検出ステップと、
押圧検出ステップにおいて検出する押圧に基づいて、画像の拡大または縮小の制御を行う倍率変更ステップとを備える
ことを特徴とするものである。
【発明の効果】
【００１２】
上記のように構成された本発明に係る電子機器および表示方法によれば、ユーザにとってより容易に表示画像の拡大または縮小が可能である。
【図面の簡単な説明】
【００１３】
【図１】本発明の一実施形態に係る電子機器の概略構成を示すブロック図である。
【図２】電子機器の実装構造の例を示す図である。
【図３】第１の実施形態において、電子機器をズームモードに切替える方法を説明するための図である。
【図４】第１の実施形態において第１の拡大動作および第２の拡大動作を説明するための図である。
【図５】第１の実施形態において第１の縮小動作および第２の縮小動作を説明するための図である。
【図６】第１の実施形態において、制御部が実行するズームモード処理を説明するフローチャートである。
【図７】第２の実施形態において、第１の拡大動作および第１の縮小動作における倍率の決定方法を説明するための図である。
【図８】第２の実施形態において、第２の拡大動作による倍率の決定方法を説明するための図である。
【図９】第２の実施形態において、第２の縮小動作による倍率の決定方法を説明するための図である。
【図１０】第２の実施形態において、制御部が実行するズームモード処理を説明するフローチャートである。
【図１１】第３の実施形態において、制御部が実行するズームモード処理を説明するフローチャートである。
【図１２】第４の実施形態において、第１の拡大動作および第１の縮小動作における倍率の決定方法を説明するための図である。
【図１３】第４の実施形態において、制御部が実行するズームモード処理を説明するフローチャートである。
【発明を実施するための形態】
【００１４】
以下、本発明の実施形態について、図面を参照して説明する。
【００１５】
図１は、第１の実施形態に係る電子機器の概略構成を示すブロック図である。
【００１６】
本実施形態に係る電子機器１は例えば携帯電話端末であり、図１に示すように、制御部１０と、表示部３０と、接触検出部４０と、振動部５０と、押圧検出部６０と、記憶部８０とを備えている。
【００１７】
制御部１０は、電子機器１を構成する各機能部を制御することにより、電子機器１の全体を制御および管理する。制御部１０の処理のうち本実施の形態特有のものについては後述する。
【００１８】
表示部３０は、写真などを含む様々な画像を表示可能である。また、表示部３０は、これらの画像に重畳して、例えば押しボタンスイッチ（プッシュ式ボタンスイッチ）等のようなオブジェクトを画像で表示する。このオブジェクトは、接触検出部４０のタッチ面上において接触すべき領域を操作者に示唆する画像である。また、押しボタンスイッチとは、操作者が入力の操作に用いるボタンやキー等（以下、単に「キー等」と総称する）である。表示部３０は、例えば、液晶表示パネル（ＬＣＤ）や有機ＥＬ表示パネル等を用いて構成する。
【００１９】
接触検出部４０は、通常は表示部３０の前面に配置して、表示部３０に表示したオブジェクトに対する操作者の指やスタイラスペン等（以下、単に「接触物」と総称する）による接触を、対応する接触検出部４０のタッチ面において検出する。また、接触検出部４０は、タッチ面に対する接触物の接触の位置を検出し、当該検出した接触の位置を制御部１０に通知する。この接触検出部４０は、例えば抵抗膜方式、静電容量方式、光学式等の方式のもので構成されたタッチセンサを用いることができる。
【００２０】
振動部５０は、例えば圧電振動子等を用いて構成し、接触検出部４０を振動させる。この振動部５０は、所定の振動パターンによる振動を発生させることにより、タッチ面に接触している接触物に対して触感を呈示する。本実施の形態において、振動部５０は、制御部１０から供給される駆動信号に基づいて振動を発生する。
【００２１】
すなわち、本実施の形態において、制御部１０は、振動部５０が振動するように制御する。また、この際、制御部１０は、接触検出部４０が検出する接触物の接触の位置に応じて、振動部５０を駆動する駆動信号を異ならせるように制御することもできる。つまり、制御部１０は、接触検出部４０が接触を検出した位置に対応する表示部３０に表示されたオブジェクトに応じて、異なる態様の振動を発生するよう制御することもできる。
【００２２】
押圧検出部６０は、接触検出部４０のタッチ面に対する押圧量を検出するもので、例えば、押圧量に応じて物理的または電気的な特性（歪み、抵抗、電圧等）が変化する歪みゲージセンサや圧電素子等の素子等を用いて構成する。押圧検出部６０が、例えば、圧電素子等を用いて構成された場合、押圧検出部６０の圧電素子は、接触検出部４０のタッチ面に対する押圧に係る荷重（力）の大きさ（または、荷重（力）の大きさが変化する速さ（加速度））に応じて、電気的な特性である電圧の大きさ（電圧値（以下、押圧に基づくデータと称する））が変化する。制御部１０は、押圧検出部６０が押圧に基づくデータを制御部１０に通知することにより、または、制御部１０が、押圧検出部６０の押圧に基づくデータを検出することにより、当該押圧に基づくデータを取得する。つまり、制御部１０は、接触検出部４０のタッチ面に対する押圧量に基づくデータを押圧検出部６０から取得する。なお、押圧に基づくデータは、電圧値の代わりに、押圧に係る荷重の大きさ、電力値、抵抗値等でもよい。なお、振動部６０と押圧検出部６０とは一体化して構成されていてもよい。
【００２３】
記憶部８０は、例えばフラッシュメモリ等によって構成し、電子機器１において実行する各種のアプリケーションソフトウェア（以下、単に「アプリケーション」と記す）を記憶するのみならず、各種の情報を記憶することができる。
【００２４】
図２は、図１に示した電子機器１のうち、表示部３０、接触検出部４０、振動部５０、および押圧検出部６０を中心とする実装構造の一例を示す図である。図２（Ａ）は要部断面図であり、図２（Ｂ）は要部平面図である。図２（Ａ）に示すように、本実施形態に係る電子機器１において、表示部３０は、筐体７１内に収納保持される。また、表示部３０上には、弾性部材からなるインシュレータ７２を介して、接触検出部４０が保持される。また、電子機器１において、接触検出部４０は、図２（Ｂ）に仮想線で示す表示部３０の表示領域Ａから外れた４隅に配設したインシュレータ７２を介して表示部３０上に保持される。なお、図２において、本実施の形態に係る電子機器１は、表示部３０および接触検出部４０を、平面視で矩形状としている。しかしながら、これらの形状は、電子機器１が備える接触検出部４０または表示部３０の構成などの諸条件に応じた形状とすることができる。
【００２５】
また、筐体７１には、表示部３０の表示領域から外れた接触検出部４０の表面領域を覆うようにアッパカバー７３が設けられ、このアッパカバー７３と接触検出部４０との間に、弾性部材からなるインシュレータ７４が配設される。なお、図２に示す接触検出部４０において、タッチ面４０ａを有する表面部材は、例えば透明フィルムやガラスで構成され、裏面部材はガラスやアクリルで構成されるようにする。接触検出部４０は、タッチ面４０ａが押圧されると、押圧部分が押圧力に応じて微少量撓む（歪む）、または構造体そのものが微少量撓む構造のものを用いる。
【００２６】
接触検出部４０の表面上には、アッパカバー７３で覆われる各辺の近傍に、接触検出部４０に加わる押圧を検出するための歪みゲージセンサ６２が、それぞれ接着等により設けられる。さらに、接触検出部４０の裏面上には、対向する２つの辺の近傍に、接触検出部４０を振動させるための圧電振動子５２が、それぞれ接着等により設けられる。すなわち、図２に示す電子機器１において、図１に示した押圧検出部６０は、４つの歪みゲージセンサ６２を用いて構成され、振動部５０は、２つの圧電振動子５２を用いて構成されている。そして、振動部５０により接触検出部４０を振動させることにより、タッチ面４０ａを振動させるようにしている。なお、図２（Ｂ）は、図２（Ａ）に示した筐体７１、アッパカバー７３およびインシュレータ７４の図示を省略している。
【００２７】
上述の構成を有する電子機器１において、キー等のオブジェクトに対する接触および押圧に応じて、入力を検知することが可能である。例えば、オブジェクトへの単なる接触、弱い押圧、より強い押圧、およびさらに強い押圧を検知することが可能である。したがって、単一のオブジェクトに対して、様々な入力が可能である。
【００２８】
また、電子機器１は、操作者によるキー等のオブジェクトへの操作入力に対して、振動部５０によって振動を発生させる。このような構成により、機械式のキーの押圧感を操作者に呈示させることが可能である。さらに、電子機器１では、押圧に基づくデータに応じて、振動部５０の振動パターンが変わる。たとえば、電子機器１は、押圧に基づくデータに応じて、機械式の多段階のボタンにおける１段目の押圧感を知覚させる振動を、又は多段の押圧感を知覚させる振動を、振動部５０によって発生させる。なお、以後の説明において、ｎ段目（ｎは正の整数）の押圧感をユーザに知覚させる振動の発生に起因する押圧をｎ段押圧と呼ぶ。
【００２９】
また、電子機器１は画像の拡大表示および縮小表示機能を有する。拡大表示および縮小表示機能について、以下に説明する。
【００３０】
拡大表示または縮小表示の対象となる画像を表示中（図３（ａ）参照）に、操作者が接触検出部４０のタッチ面の何処かに接触、すなわちタップすることにより制御部１０は表示部３０にアイコンＡを表示させる（図３（ｂ）参照）。なお、アイコンＡは、タップした状態で所定時間経過した後に表示させてもよい。アイコンＡは、タッチ面における接触領域に対する表示部３０上の対応領域に表示される。以下の説明において、アイコンＡの表示位置に対するタッチ面の対応領域を、便宜上、アイコン領域と呼ぶ。
【００３１】
ユーザがアイコン領域に対して１段押圧、すなわち弱く押圧すると、電子機器１は、１段目の押圧の振動を発生させるとともにズームモードに切替える（図３（ｃ）参照）。ズームモードにおいて、電子機器１は、拡大表示又は縮小表示が可能になる。また、電子機器１は、ズームモードに切替わると、元の画像に対する拡大または縮小の倍率Ｍを表示部３０に表示させる。第１の実施形態においては、電子機器１は、アイコン領域に対する接触が解除されるときに、ズームモードを終了させる。
【００３２】
ズームモードにおいて、ユーザがアイコン領域に対する接触を維持した状態から、例えば接触位置を上方に摺動（図４（ａ）参照）、すなわちスイープさせると、制御部１０は、アイコンＡをスイープに対応する位置に移動して表示させると共に、拡大処理を実行する。拡大処理において、電子機器１は、第１の拡大動作および第２の拡大動作を実行可能である。第１の拡大動作はスイープした距離（移動量）に基づく拡大であり、第２の拡大動作はアイコン領域に対する押圧に基づく拡大である。
【００３３】
拡大動作の実行のトリガであるアイコン領域に対する接触を維持した状態から上方へのスイープは、第１の拡大動作を伴う。すなわち、制御部１０は、スイープ量に応じて倍率が大きくなるように定める。表示部３０は、定められる倍率で表示画像を拡大表示し、また、定められた倍率Ｍを表示する（図４（ｂ）参照）。
【００３４】
スイープ量に応じた倍率で表示画像を拡大した状態においてアイコン領域への押圧を大きくすることにより、制御部１０は、第２の拡大動作を開始する。第２の拡大動作では、第１の拡大動作で定められた倍率を基準にして、制御部１０は押圧の強さに応じて倍率を定める。
【００３５】
例えば、制御部１０は、第１の拡大動作において１５０％に定まった倍率に対して、ｎ段押圧を検出することにより（１５０％）ｎになるように、倍率を定める。図４（ｃ）では、３段押圧を検出することにより、３３８％に拡大された状態を示す。また、第１の拡大動作において１５０％に定まった倍率に対して、押圧の強さに応じて倍率が１５０％から微小に増加するように定められる構成であってもよい。
【００３６】
一方、ズームモードにおいて、アイコン領域への接触を維持したまま、例えば接触位置を下方にスイープ（図５（ａ）参照）させると、制御部１０は縮小処理を実行する。縮小処理において、電子機器１は、第１の縮小動作および第２の縮小動作を実行可能である。第１の縮小動作はアイコン領域のスイープ量に基づく縮小であり、第２の縮小動作はアイコン領域に対する押圧に基づく縮小である。
【００３７】
縮小処理の実行のトリガであるアイコン領域の下方へのスイープは、第２の縮小動作を伴う。すなわち、アイコン領域の下方へのスイープにおいて、制御部１０は、スイープ量が大きくなるほど倍率が小さくなるように定める。表示部３０は、定められる倍率で表示画像を縮小表示し、また、定められた倍率Ｍを表示する（図５（ｂ）参照）。
【００３８】
スイープ量に応じた倍率で表示画像を縮小した状態においてアイコン領域への押圧を大きくすることにより、第２の縮小動作が開始する。第２の縮小動作では、第１の縮小動作で定められた倍率を基準にして、制御部１０は押圧の強さに応じて倍率を定める。
【００３９】
例えば、制御部１０は、第１の縮小動作において８４％に定まった倍率に対して、ｎ段押圧を検出することにより（８４％）ｎになるように、倍率を定める。図５（ｃ）では、３段押圧を検出することにより、５９％に縮小された状態を示す。また、第１の縮小動作において８４％に定まった倍率に対して、押圧の強さに応じて倍率が８４％から微小に縮小するように定められる構成であってもよい。
【００４０】
次に、第１の実施形態において、制御部１０が実行するズームモード処理について、図６のフローチャートを用いて説明する。制御部１０は、拡大表示または縮小表示を可能な画像を表示部３０に表示している状態において接触を検出するときにズームモード処理を開始する。
【００４１】
ステップＳ１００において、制御部１０は、接触検出部４０のタッチ面におけるタップ位置座標を検出し、タップ位置座標をズームモードにおける基準座標に設定する。基準座標の設定後、プロセスはステップＳ１０１に進む。
【００４２】
ステップＳ１０１では、制御部１０は、表示部３０の基準座標に対応する位置にアイコンＡを表示させる。アイコンＡの表示後に、プロセスはステップＳ１０２に進む。
【００４３】
ステップＳ１０２では、制御部１０は、アイコン領域に対する押圧を検出しているか否かを判別する。押圧を検出している場合には、プロセスはステップＳ１０３に進む。押圧を検出していない場合には、プロセスはステップＳ１０４に進む。
【００４４】
ステップＳ１０３では、制御部１０は、接触物がタッチ面上においてスイープしているか否かを判別する。スイープしていない場合には、プロセスはステップＳ１０４に進む。スイープしている場合には、プロセスはステップＳ１０５に進む。
【００４５】
ステップＳ１０４では、制御部１０は、アイコン領域に対する接触が解除されているか否かを判別する。接触が解除されていなければ、プロセスはステップＳ１０２に戻る。接触が解除されている場合には、ズームモード処理を終了する。
【００４６】
前述のように、ステップＳ１０３においてスイープを検出した場合に進むステップＳ１０５では、制御部１０は、タッチ面における現在の接触位置座標を検出する。現在の接触位置座標を検出すると、プロセスはステップＳ１０６に進む。
【００４７】
ステップＳ１０６では、制御部１０は、ステップＳ１００において設定した基準座標とステップＳ１０５において検出した現在接触位置座標に基づいて、スイープ方向およびスイープ量を検出する。スイープ方向およびスイープ量を検出すると、プロセスはステップＳ１０７に進む。
【００４８】
ステップＳ１０７では、制御部１０は、ステップＳ１０６において検出したスイープ方向およびスイープ量に基づいて、画像を拡大または縮小すべき倍率を算出する。倍率を算出すると、プロセスはステップＳ１０８に進む。
【００４９】
ステップＳ１０８では、制御部１０は、ステップＳ１０７において算出した倍率となるように画像を拡大または縮小して、表示部３０に表示させる。制御部１０は、さらに、現在接触位置座標に対する表示部３０の対応位置にアイコンＡと、現在の倍率Ｍとを表示部３０に表示させる。ステップＳ１０３、ステップＳ１０５から１０８は、第１の拡大動作または第１の縮小動作に対応する。拡大画像または縮小画像の表示後、プロセスはステップＳ１０９に進む。
【００５０】
ステップＳ１０９では、制御部１０は、アイコン領域に対する押圧を検出しているか否かを判別する。押圧を検出している場合には、プロセスはステップＳ１１０に進む。押圧を検出していない場合には、プロセスはステップＳ１１０およびＳ１１１をスキップしてステップＳ１１２に進む。
【００５１】
ステップＳ１１０では、制御部１０は、ステップＳ１０９における押圧に基づくデータを検出する。また、制御部１０は、押圧に基づくデータに応じて、ステップＳ１０７において算出した倍率を調整する。倍率の調整を終えると、プロセスはステップＳ１１１に進む。
【００５２】
ステップＳ１１１では、制御部１０は、ステップＳ１１０において調整した倍率となるように画像を拡大または縮小して、表示部３０に表示させる。制御部１０は、さらに、現在の倍率Ｍを表示部３０に表示させる。ステップＳ１０９から１１１は、第２の拡大動作または第２の縮小動作に対応する。拡大画像または縮小画像の表示後、プロセスはステップＳ１１２に進む。
【００５３】
ステップＳ１１２では、制御部１０は、アイコン領域に対する接触が解除されているか否かを判別する。接触が解除されていなければ、プロセスはステップＳ１０３に戻る。接触が解除されている場合には、ズームモード処理を終了する。
【００５４】
以上のような構成の第１の実施形態の電子機器１によれば、押圧検出部が検出する押圧に基づくデータに応じた倍率で表示部３０に表示する画像の拡大または縮小が可能である。したがって、マルチ接触の検出を必要とすることなく表示する画像の拡大または縮小が可能である。
【００５５】
また、第１の実施形態の電子機器１によれば、接触物のタッチ面に対するスイープの方向によって拡大または縮小のいずれを行うかを定めることが可能である。したがって、拡大および縮小のいずれも可能な画像を表示中に、拡大ボタンおよび縮小ボタンの何れかへの操作入力などを不要にしながら、簡易な操作入力により何れかを選択することが可能である。
【００５６】
また、第１の実施形態の電子機器１によれば、接触物のタッチ面に対するスイープ量に応じて第１の拡大動作および第１の縮小動作を実行可能である。したがって、押圧に基づくデータに応じた第２の拡大動作および第２の縮小動作と組合わせることにより、操作者の操作性を向上させることが可能である。例えば、第１の拡大動作および第１の縮小動作によって大まかな倍率調整を行わせ、第２の拡大動作およびは第２の縮小動作によって倍率の微調整を行わせることが可能である。
【００５７】
次に、本発明の第２の実施形態に係る電子機器１について説明する。第２の実施形態ではズームモードにおける処理が第１の実施形態と異なっている。以下に、第１の実施形態と異なる点を中心に第２の実施形態について説明する。なお、第１の実施形態と同じ機能および構成を有する部位には同じ符号を付す。第２の実施形態の電子機器１の構成は、第１の実施形態と同じである。
【００５８】
第１の実施形態と同じく、拡大表示または縮小表示の対象となる画像を表示中（図３（ａ）参照）に操作者が接触検出部４０のタッチ面の何処かに接触することにより制御部１０は表示部３０にアイコンＡを表示させる（図３（ｂ）参照）。
【００５９】
また、アイコン領域に対する押圧により、電子機器１はズームモードに切替わる。ただし、第１の実施形態と異なり、１段押圧に限定されることなく、電子機器１はズームモードに切替わる。さらに、第１の実施形態と異なり、制御部１０はズームモードに切替える押圧に基づくデータに応じて、第１の拡大動作または第１の縮小動作のいずれかにおける倍率を定める。
【００６０】
例えば、図７（ａ）に示すように、１段押圧を検出した場合には、制御部１０は第１の拡大動作および第１の縮小動作のいずれか実行する場合の倍率をそれぞれ１１５％および９０％に定める。また、図７（ｂ）に示すように、２段押圧を検出した場合には、制御部１０は第１の拡大動作および第１の縮小動作のいずれかを実行する場合の倍率をそれぞれ１５０％および７５％に定める。また、図７（ｃ）に示すように、３段押圧を検出した場合には、制御部１０は第１の拡大動作および第１の縮小動作のいずれかを実行する場合の倍率をそれぞれ２００％および５５％に定める。表示部３０は、定められた倍率Ｍを表示する。
【００６１】
押圧により拡大および縮小の倍率が定まった状態で、アイコン領域を上方にスイープさせると、制御部１０は押圧に基づくデータに応じた倍率による第１の拡大動作の実行を確定する。さらに制御部１０は、第１の拡大動作における拡大倍率を基準にして、スイープ量に応じて倍率を変更する。
【００６２】
例えば、図８に示すように、１段押圧を検出した場合における第１の拡大動作の実行を確定すると、制御部１０は１１５％を基準にして第２の拡大動作を開始する。スイープ量に応じて１１５％の倍率からさらに大きくなるように倍率が定められる。第２の実施形態においても、制御部１０は、アイコン領域から接触が解除されるときに、ズームモードを終了する。
【００６３】
一方、押圧に基づくデータにより拡大および縮小の倍率が定まった状態で、アイコン領域を下方にスイープさせると、制御部１０は押圧に基づくデータに応じた倍率による第１の縮小動作の実行を確定する。さらに制御部１０は、第１の縮小動作における縮小倍率を基準にして、スイープ量に応じた倍率を変更する。
【００６４】
例えば、図９に示すように、１段押圧を検出した場合における第１の縮小動作の実行を確定すると、制御部１０は９０％を基準にして第２の縮小動作を開始する。さらに、スイープ量に応じて９０％の倍率からさらに小さくなるように倍率が定められる。第２の実施形態においても、制御部１０は、アイコン領域から接触が解除されるときに、ズームモードを終了する。
【００６５】
次に、第２の実施形態において、制御部１０が実行するズームモード処理について、図１０のフローチャートを用いて説明する。制御部１０は、拡大表示または縮小表示を可能な画像を表示部３０に表示している状態において押圧を検出するときにズームモード処理を開始する。
【００６６】
ステップＳ２００、Ｓ２０１では、制御部１０は、第１の実施形態におけるステップＳ１００、Ｓ１０１と同じ制御を実行する。
【００６７】
ステップＳ２０２では、制御部１０は、アイコン領域に対する押圧に基づくデータを検出する。押圧に基づくデータを検出すると、プロセスはステップＳ２０３に進む。
【００６８】
ステップＳ２０３では、制御部１０は、押圧に基づくデータに応じて拡大倍率および縮小倍率を定める。押圧に基づくデータに応じた拡大倍率および縮小倍率は予め記憶部８０に格納されており、制御部１０が読出す。拡大倍率および縮小倍率を設定すると、プロセスはステップＳ２０４に進む。
【００６９】
ステップＳ２０４では、制御部１０は、接触物がタッチ面上においてスイープしているか否かを判別する。スイープしている場合には、プロセスはステップＳ２０５に進む。スイープしていない場合には、プロセスはステップＳ２０５からステップＳ２０９をスキップしてステップＳ２１０に進む。
【００７０】
ステップＳ２０５では、制御部１０は、タッチ面における現在の接触位置座標を検出する。現在の接触位置座標を検出すると、プロセスはステップＳ２０６に進む。
【００７１】
ステップＳ２０６では、制御部１０は、ステップＳ２００において設定した基準座標とステップＳ２０５において検出した現在接触位置座標に基づいて、スイープ方向およびスイープ量を検出する。スイープ方向およびスイープ量を検出すると、プロセスはステップＳ２０７に進む。
【００７２】
ステップＳ２０７では、制御部１０は、スイープ方向に基づいて実行する処理を拡大処理および縮小処理のいずれか一方から決定する。また、制御部１０は、拡大処理に決定した場合には、ステップＳ２０３において設定した拡大倍率を基準倍率に定める。一方、制御部１０は、縮小処理に決定した場合には、ステップＳ２０３において設定した縮小倍率を基準倍率に定める。ステップＳ２０２からＳ２０７が、第１の拡大処理または第１の縮小処理に対応する。実行する処理を決定すると、プロセスはステップＳ２０８に進む。
【００７３】
ステップＳ２０８では、制御部１０は、ステップＳ２０６において検出したスイープ量に基づいて、ステップＳ２０７において設定した基準倍率を調整する。基準倍率を調整すると、プロセスはステップＳ２０９に進む。
【００７４】
ステップＳ２０９では、制御部１０は、ステップＳ２０８において調整した倍率となるように画像を拡大または縮小して、表示部３０に表示させる。制御部１０は、さらに、現在の倍率Ｍを表示部３０に表示させる。ステップＳ２０４からＳ２０９が第２の拡大処理または第２の縮小処理に対応する。拡大画像または縮小画像の表示後、プロセスはステップＳ２１０に進む。
【００７５】
ステップＳ２１０では、制御部１０は、アイコン領域への接触が解除されているか否かを判別する。接触が解除されていなければ、プロセスはステップＳ２０４に戻る。接触が解除されている場合には、ズームモード処理を終了する。
【００７６】
以上のような構成の第２の実施形態の電子機器１によっても、押圧検出部６０が検出する押圧に基づくデータ応じた倍率で表示部３０に表示する画像の拡大または縮小が可能である。また、第２の実施形態によっても、接触物のタッチ面に対するスイープの方向によって拡大または縮小のいずれを行うかを定めることが可能である。また、第２の実施形態によっても、接触物のタッチ面に対するスイープ量に応じて第１の拡大動作および第１の縮小動作を実行可能である。
【００７７】
次に、本発明の第３の実施形態に係る電子機器１について説明する。第３の実施形態ではズームモードにおける処理が第２の実施形態と異なっている。以下に、第２の実施形態と異なる点を中心に第３の実施形態について説明する。なお、第２の実施形態と同じ機能および構成を有する部位には同じ符号を付す。第３の実施形態の電子機器１の構成は、第２の実施形態と同じである。
【００７８】
第２の実施形態と同じく、拡大表示または縮小表示の対象となる画像を表示中（図３（ａ）参照）に操作者が接触検出部４０のタッチ面の何処かに接触することにより制御部１０は表示部３０にアイコンＡを表示させる（図３（ｂ）参照）。
【００７９】
また、アイコン領域に対する押圧により、電子機器１はズームモードに切替わる。ただし、第２の実施形態と同じく、１段押圧に限定されることなく、電子機器１はズームモードに切替わる。さらに、第２の実施形態と同じく、制御部１０はズームモードに切替える押圧に基づくデータに応じて、拡大する場合の倍率および縮小する場合の倍率を定める（図７参照）。
【００８０】
第３の実施形態では、アイコンＡの押圧後に、アイコン領域を上方にスイープすると、第１の拡大動作を実行する。第１の拡大動作では、押圧により定められた拡大倍率によって画像を拡大表示する。一方、アイコン領域の押圧後に、アイコン領域を下方にスイープすると、第１の縮小動作を実行する。第１の縮小動作では、押圧により定められた縮小倍率によって画像を縮小表示する。第２の実施形態と異なり、アイコン領域のスイープ量によっては、倍率は変動しない。
【００８１】
第１の拡大動作または第１の縮小動作の実行中に、アイコン領域のタップを検出すると、制御部１０は、タップ回数に応じて、第２の拡大動作または第２の縮小動作を実行する。第１の拡大動作および第２の縮小動作では、制御部１０はそれぞれ元の拡大倍率または縮小倍率を基準にして倍率を調整する。
【００８２】
例えば、押圧により定められた基準倍率が１１５％である場合には、制御部１０は１回のタップにより倍率を５％増加させる。また、押圧により定められた基準倍率が９０％である場合には、制御部１０は１回のタップにより倍率を５％減少させる。制御部１０は、調整された倍率に応じて、さらに画像を拡大または縮小して、表示部３０に表示させる。
【００８３】
次に、第３の実施形態において、制御部１０が実行するズームモード処理について、図１０のフローチャートを用いて説明する。制御部１０は、拡大表示または縮小表示を可能な画像を表示部３０に表示している状態において押圧を検出するときにズームモード処理を開始する。
【００８４】
ステップＳ３００からＳ３０３では、制御部１０は、第２の実施形態におけるステップＳ２００からＳ２０３と同じ制御を実行する。
【００８５】
ステップＳ３０４では、制御部１０は、接触物がタッチ面上においてスイープしているか否かを判別する。スイープしている場合には、プロセスはステップＳ３０５に進む。スイープしていない場合には、ズームモード処理を終了する。
【００８６】
ステップＳ３０５では、制御部１０は、タッチ面における現在の接触位置座標を検出する。現在の接触位置座標を検出すると、プロセスはステップＳ３０６に進む。
【００８７】
ステップＳ３０６では、制御部１０は、ステップＳ２００において設定した基準座標とステップＳ２０５において検出した現在接触位置座標に基づいて、スイープ方向を検出する。第２の実施形態と異なり、制御部１０はスイープ量を検出しない。スイープ方向を検出すると、プロセスはステップＳ３０７に進む。
【００８８】
ステップＳ３０７では、制御部１０は、スイープ方向に基づいて実行する処理を拡大処理および縮小処理のいずれか一方から決定する。また、制御部１０は、拡大処理に決定した場合には、ステップＳ３０３において設定した拡大倍率を基準倍率に定める。一方、制御部１０は、縮小処理に決定した場合には、ステップＳ３０３において設定した縮小倍率を基準倍率に定める。ステップＳ３０２からＳ３０７が第１の拡大動作または第１の縮小動作に対応する。実行する処理を決定すると、プロセスはステップＳ３０８に進む。
【００８９】
ステップＳ３０８では、制御部１０は、ステップＳ３０７において設定した基準倍率となるように画像を拡大または縮小させて、表示部３０に表示させる。制御部１０は、さらに、現在の倍率を表示部３０に表示させる。拡大画像または縮小画像の表示後、プロセスはステップＳ３０９に進む。
【００９０】
ステップＳ３０９では、制御部１０は、タッチ面へのタップを検出したか否かを判別する。タップが検出されない場合には、ステップＳ３０９に戻る。タップが検出された場合には、ステップＳ３１０に進む。
【００９１】
ステップＳ３１０では、制御部１０は、タップの回数に応じて基準倍率を調整する。また、制御部１０は、調整した基準倍率となるように画像を拡大または縮小させて、表示部３０に表示させる。拡大画像または縮小画像の表示後、ズームモード処理を終了する。
【００９２】
ステップＳ３０９、Ｓ３１０が第１の拡大動作または第１の縮小動作に相当する。
【００９３】
以上のような構成の第３の実施形態の電子機器１によっても、押圧検出部６０が検出する押圧に基づくデータに応じた倍率で表示部３０に表示する画像の拡大または縮小が可能である。また、第３の実施形態によっても、接触物のタッチ面に対するスイープの方向によって拡大または縮小のいずれを行うかを定めることが可能である。
【００９４】
また、第３の実施形態によれば、タップ回数によって、画像の拡大倍率または縮小倍率を調整可能である。したがって、押圧に基づくデータに応じた拡大動作および縮小動作と組合わせることにより、操作者の操作性を向上させることが可能である。例えば、押圧に応じた拡大動作および縮小動作によって大まかな倍率調整を行わせ、タップ回数に応じて倍率の微調整を行わせることが可能である。
【００９５】
次に、本発明の第４の実施形態に係る電子機器１について説明する。第４の実施形態ではズームモードにおける処理が第３の実施形態と異なっている。以下に、第３の実施形態と異なる点を中心に第４の実施形態について説明する。なお、第３の実施形態と同じ機能および構成を有する部位には同じ符号を付す。第４の実施形態の電子機器１の構成は、第３の実施形態と同じである。
【００９６】
第３の実施形態と同じく、拡大表示または縮小表示の対象となる画像を表示中（図３（ａ）参照）に操作者が接触検出部４０のタッチ面の何処かに接触することにより、制御部１０は表示部３０にアイコンＡを表示させる（図３（ｂ）参照）。
【００９７】
アイコン領域から接触を解除し、さらにタッチ面をタップすることにより、電子機器１はズームモードに切替わる。ズームモードへの切替わり後、アイコン領域へのタップ回数に応じて、拡大する場合の倍率および縮小する場合の倍率を制御部１０は定める（図１２参照）。
【００９８】
アイコン領域のタップ後に、アイコン領域を上方にスイープすると、第１の拡大動作を実行する。第１の拡大動作では、タップ回数により定められた拡大倍率によって画像を拡大表示する。一方、アイコン領域のタップ後に、アイコン領域を下方にスイープすると、第１の拡大動作を実行する。第１の縮小動作では、タップ回数により定められた縮小倍率によって画像を縮小表示する。アイコン領域のスイープ量によっては、倍率は変動しない。
【００９９】
第１の拡大動作または第１の縮小動作の実行後に、アイコン領域を押圧することにより、制御部１０は押圧に基づくデータに応じて第２の拡大動作または第２の縮小動作を実行する。第１の拡大動作および第２の縮小動作では、それぞれ元の拡大倍率または縮小倍率を基準にして倍率を調整する。アイコン領域の押圧を解除、すなわち接触を解除したときに、制御部１０は、調整された倍率に応じて、さらに画像を拡大または縮小して表示部３０に表示させる。
【０１００】
次に、第４の実施形態において、制御部１０が実行するズームモード処理について、図１３のフローチャートを用いて説明する。制御部１０は、拡大表示または縮小表示を可能な画像を表示部３０に表示している状態において押圧を検出するときにズームモード処理を開始する。
【０１０１】
ステップＳ４００、Ｓ４０１では、制御部１０は、第３の実施形態におけるステップＳ３００、Ｓ３０１と同じ制御を実行する。
【０１０２】
ステップＳ４０２では、制御部１０は、アイコン領域へのタップを検出しているか否かを判別する。タップを検出した場合には、プロセスはステップＳ４０３に進む。タップを検出しなかった場合には、ズームモード処理は終了する。
【０１０３】
ステップＳ４０３では、制御部１０は、タップ回数に応じて拡大倍率および縮小倍率を設定する。倍率の設定後、プロセスはステップＳ４０４に進む。
【０１０４】
ステップＳ４０４からＳ４０８では、制御部１０は、第３の実施形態におけるステップＳ３０４から４０８と同じ制御を実行する。ステップＳ４０２からＳ４０８が第１の拡大動作または第１の縮小動作に対応する。
【０１０５】
ステップＳ４０９では、制御部１０は、アイコン領域が押圧されているか否かを判別する。押圧が検出された場合には、ステップＳ４１０に進む。押圧が検出されなかった場合には、ステップＳ４１０、４１１をスキップして、ステップＳ４１２に進む。
【０１０６】
ステップＳ４１０では、制御部１０は、押圧に基づくデータに応じて基準倍率を調整する。基準倍率を調整すると、プロセスはステップＳ４１１に進む。
【０１０７】
ステップＳ４１１では、制御部１０は、ステップＳ４１０において調整された基準倍率になるように画像を拡大または縮小して、表示部３０に表示させる。ステップＳ４０９からＳ４１１が第２の拡大動作または第２の縮小動作に対応する。表示部３０に拡大画像または縮小画像を表示すると、プロセスはステップＳ４１２に進む。
【０１０８】
ステップＳ４１２では、制御部１０は、アイコン領域から接触が解除されたか否かを判別する。接触が解除されなかった場合には、プロセスはステップＳ４０９に戻る。接触が解除された場合には、ズームモード処理を終了する。
【０１０９】
以上のような構成の第４の実施形態の電子機器１によっても、押圧検出部６０が検出する押圧に基づくデータに応じた倍率で表示部３０に表示する画像の拡大または縮小が可能である。また、第４の実施形態によっても、接触物のタッチ面に対するスイープの方向によって拡大または縮小のいずれを行うかを定めることが可能である。また、第４の実施形態によっても、タップ回数によって、画像の拡大倍率または縮小倍率を設定可能である。
【０１１０】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【０１１１】
例えば、第１から第４の実施形態において、画像の拡大または縮小をスイープ方向に基づいて決定する構成であるが、他の方法によって拡大または縮小を決める構成であってもよい。あるいは、拡大または縮小のいずれか一方のみが可能な構成であってもよい。拡大表示のみ可能な画像、または縮小表示のみ可能な画像を表示中であれば、拡大および縮小表示の決定をすることなく、拡大表示または縮小表示が可能である。
【０１１２】
また、第１から第４の実施形態において、スイープの方向が上方向の場合に拡大処理を実行し、下方向の場合に縮小処理を実行する構成であるが、拡大または縮小を決定付ける方向は上下に限定されない。
【０１１３】
また、第１および第２の実施形態において、スイープ量に応じて倍率を定める構成であるが、スイープに関する多様な情報の中で倍率を定めるのはスイープ量に限定されない。例えば、スイープの速度またはスイープの加速度等のように他の情報に応じて倍率を定めてもよい。
【０１１４】
また、第１から第４の実施形態では、電子機器１は携帯電話端末であるが、タッチパネルなどの接触検出部に対する入力に基づいて所定の処理を行う多様な機器に適用可能である。
【符号の説明】
【０１１５】
１  電子機器
１０  制御部
３０  表示部
４０  接触検出部
４０ａ  タッチ面
５０  振動部
５２  圧電振動子
６０  押圧検出部
６２  歪みゲージセンサ
７１  筐体
７２  インシュレータ
７３  アップカバー
７４  インシュレータ
８０  記憶部
Ａ  アイコン
Ｍ  倍率
【図１】
2013206180.tif 000003
【図２】
2013206180.tif 000004
【図３】
2013206180.tif 000005
【図４】
2013206180.tif 000006
【図５】
2013206180.tif 000007
【図６】
2013206180.tif 000008
【図７】
2013206180.tif 000009
【図８】
2013206180.tif 000010
【図９】
2013206180.tif 000011
【図１０】
2013206180.tif 000012
【図１１】
2013206180.tif 000013
【図１２】
2013206180.tif 000014
【図１３】
2013206180.tif 000015